(57)【要約】  【課題】野菜室などの高湿度を目的とする冷却室の乾燥を低減し、野菜等の乾燥に弱い食品の保鮮性の向上を図るものである。  【解決手段】野菜室４の上面に配置される冷却プレート７を特殊な表面処理加工により凹凸を施した材料にすることによって、表面積が拡大し、親水性を齎すことになり、野菜室の湿度を安定して高湿度に維持させることが可能であり、乾燥しやすい野菜室の湿度が高くなり、野菜等の食品の保鮮性が向上する冷蔵庫を提供することができるものである。【選択図】図１
2006284117.tif 000002
【特許請求の範囲】
【請求項１】
冷蔵庫本体内に形成して物品を冷却貯蔵する冷却室と前記冷却室のうち一つの上面を仮密閉する冷却プレートの表面にブラスト処理にて凹凸を施した材料からなるプレートを設けたことを特徴とする冷蔵庫。
【請求項２】
冷却プレートの表面の凹凸をつや消し処理により施した材料からなるプレートを設けたことを特徴とする請求項１に記載の冷蔵庫。
【請求項３】
冷却プレートの表面の凹凸を化学梨地仕上げ処理により施した材料からなるプレートを設けたことを特徴とする請求項１に記載の冷蔵庫。
【請求項４】
冷却プレートの表面の凹凸を防錆黒色導電薄皮膜処理により施した材料よりなるプレートを設けたことを特徴とする請求項１に記載の冷蔵庫。
【請求項５】
冷却プレートの表面の凹凸を請求項４に記載の表面処理に加え硬質クロムめっきを施した材料からなるプレートを設けたことを特徴とする請求項１に記載の冷蔵庫。
【発明の詳細な説明】
【技術分野】
【０００１】
本発明は、高湿度を目的とする冷却室を設けた冷蔵庫に関するものである。
【背景技術】
【０００２】
近年の冷蔵庫は、収納する食品に応じた複数の温度に管理された貯蔵室を設けている。それらは主に冷凍室、冷蔵室、野菜室から構成されているものであり、近年、野菜室の最適化を追求する流れが主流となってきている（例えば、特許文献１参照）。
【０００３】
図２は、特許文献１に記載された従来の冷蔵庫の概略断面図を示すものである。
【０００４】
図２において、１は冷蔵庫本体、２は前記冷蔵庫本体を上下に区画する断熱区画壁であり、上部に冷蔵室３と野菜室４、下部に冷凍室５を区間形成している。
【０００５】
さらに、野菜室４の天面には前記野菜室を仮密閉している良熱伝導性を有するアルミニウム等を板波形に成形した冷却プレート６を形成しており、冷却プレート６が冷却されることにより野菜室４の室内と前記冷却プレートの温度差により、前記冷却プレートが結露を伴い、前記結露水により野菜室の雰囲気をより過湿状態にすることができ、乾燥しやすい野菜室の湿度が高くなり、野菜等の食品の保鮮性が向上することできる。また、冷却プレート６の板は親水性を特性とする塗装、またはアルマイト処理を施しており、結露水が親水性を特徴とした前記冷却プレートの波形の頂点に流れることにより、所定の排水管を通り庫外へと排出し、野菜室の食品には水がかからないように構成されている。
【特許文献１】特開２００１−３３０３５９号公報
【発明の開示】
【発明が解決しようとする課題】
【０００６】
しかしながら、上記従来の図の野菜室４の天面に形成されたアルミニウム板６に親水性処理である塗装、アルマイト処理では、コストが高く、また性能において親水性を示す接触角の値が不安定で、上記野菜室湿度をコントロールできない課題を有していた。
【０００７】
本発明は、上記従来の課題を解決するもので、上記冷却プレートの表面処理により、低コストで上記野菜室の湿度を安定させることが可能であり、乾燥しやすい野菜室の湿度が高くなり、野菜等の食品の保鮮性が向上する冷蔵庫を提供することを目的とする。
【課題を解決するための手段】
【０００８】
上記従来の課題を解決するために、本発明の冷蔵庫は、冷蔵庫本体内に形成して物品を冷却貯蔵する冷却室と前記冷却室のうち一つの上面を仮密閉する冷却プレートの表面に凹凸を施した材料からなるプレートを設けたものであり冷却プレートに特殊な処理で凹凸を施すことにより、表面積が拡大し親水性を齎す。
【発明の効果】
【０００９】
本発明の冷蔵庫は、冷蔵庫本体内に形成して物品を冷却貯蔵する冷却室と前記冷却室のうち一つの上面を仮密閉する冷却プレートの表面に特殊な処理で凹凸を施すことにより、低コストで上記野菜室の湿度を安定させることが可能であり、乾燥しやすい野菜室の湿度が高くなり、野菜等の食品の保鮮性が向上する冷蔵庫を提供することができる。
【発明を実施するための最良の形態】
【００１０】
請求項１に記載の発明は、冷蔵庫本体内に形成して物品を冷却貯蔵する冷却室と前記冷却室のうち一つの上面を仮密閉する冷却プレートの表面にブラスト処理にて凹凸を施した材料からなるプレートを設けたことを特徴とすることにより、冷却プレート表面に物理的に凹凸を施し、表面積が拡大し、親水性を齎すことになり、表面処理を施す必要がないため、低コストで薬品を用いない無公害の省力手法で、野菜室の湿度を安定させることが可能であり、乾燥しやすい野菜室の湿度が高くなり、野菜等の食品の保鮮性が向上できる。
【００１１】
また、ブラスト処理に使用する物質の粒径を変更することにより、野菜室の湿度コントロールが容易に行うことができる。
【００１２】
請求項２に記載の発明は、請求項１に記載の発明において、冷却プレートの表面の凹凸をつや消し処理により施した材料からなるプレートを設けたことにより、冷却プレート表面に化学的に凹凸を施し、表面積が拡大し、親水性を齎すことになり、表面処理を施す必要がなく、溶液に浸せきするだけなので、低コストで作業性は良好となり、野菜室の湿度を安定させることが可能であり、乾燥しやすい野菜室の湿度が高くなり、野菜等の食品の保鮮性が向上できる。
【００１３】
請求項３に記載の発明は、請求項１に記載の発明において、冷却プレートの表面の凹凸を化学梨地仕上げ処理により施した材料からなるプレートを設けたことを特徴とすることにより、冷却プレート表面に化学的に凹凸を施し、表面積が拡大し、親水性を齎すことになり、表面処理を施す必要がなく、溶液に浸せきするだけなので、低コストで作業性は良好となり、野菜室の湿度を安定させることが可能であり、乾燥しやすい野菜室の湿度が高くなり、野菜等の食品の保鮮性が向上できる。前記冷却プレートの表面に化学梨地仕上げにより凹凸を施した材料からなるプレートを設けたものであり、つや消し処理より表面の凹凸が際立っており、より親水性を向上することが可能となり、野菜等の食品の保鮮性が向上できる。
【００１４】
請求項４に記載の発明は、請求項１に記載の発明において、冷却プレートの表面の凹凸を防錆黒色導電薄皮膜処理により施した材料からなるプレートを設けたことを特徴とすることにより、冷却プレート表面に反射防止性の特性により、親水性を齎すことになり、野菜室の湿度を安定させることが可能であり、乾燥しやすい野菜室の湿度が高くなり、野菜等の食品の保鮮性が向上できる。また、防錆黒色導電皮膜の特性により、熱吸収性に優れているため、少しの冷気で結露が容易になり、省エネルギーで野菜等の食品の保鮮性が向上できる。
【００１５】
請求項５に記載の発明は、請求項１に記載の発明において、冷却プレートの表面の凹凸を請求項４に記載の防錆黒色導電皮膜処理に加えて、硬質くろむめっきを施した材料からなるプレートを設けたことを特徴とすることにより、冷却プレート表面に反射防止性の特性により、親水性を齎すことになり、野菜室の湿度を安定させることが可能であり、乾燥しやすい野菜室の湿度が高くなり、野菜等の食品の保鮮性が向上できる。また、硬質クロメートの特性により、耐食性、耐摩耗性の機械的特性を向上できる。
【００１６】
（実施の形態１）
図１は、本発明の実施の形態１における冷蔵庫の概略断面図である。なお従来と同一構成については同一符号を付して詳細な説明は省略する。
【００１７】
図１において、冷却プレート７の表面には特殊な処理、すなわち圧縮空気によって研磨材あるいは類似のものをぶつけることにより、ブラスト処理にて物理的に凹凸を施した材料で構成されている。
【００１８】
以上のように、本実施の形態において前記冷却プレートをブラスト処理にて物理的に凹凸を施すことにより表面積が拡大し、親水性を齎すことになり、表面処理を施す必要がないため、低コストで薬品を用いない無公害の省力手法で、野菜室の湿度を安定させることが可能であり、乾燥しやすい野菜室の湿度が高くなり、野菜等の食品の保鮮性が向上する冷蔵庫を提供することができる。
【００１９】
また、本実施の形態では、ブラスト処理に使用する研磨材の粒径の大きさを変えることにより、冷却プレートの凹凸に比例して親水性も変わることから、特に野菜室の湿度がコントロール可能となり野菜室のみではなく、いろんな食品の適性湿度にすることが可能である。
【００２０】
（実施の形態２）
図１において、冷却プレート７は水酸化ナトリウムに浸せきすることにより、つや消し処理にて化学的に凹凸を施した材料としている。
【００２１】
以上のように、本実施の形態において前記冷却プレートをつや消し処理にて化学的に凹凸を施すことにより表面積が拡大し、親水性を齎すことになり、表面処理を施す必要がなく、溶液に浸せきするだけなので、低コストで、特に作業性は良好となり、野菜室の湿度を安定させることが可能であり、乾燥しやすい野菜室の湿度が高くなり、野菜等の食品の保鮮性が向上する冷蔵庫を提供することができる。
【００２２】
（実施の形態３）
図１において、冷却プレート７は塩化アンモニウム等の混合液に浸せきすることにより、化学梨地仕上げ処理にて化学的に凹凸を施した材料としている。
【００２３】
以上のように、本実施の形態において前記冷却プレートを化学梨地仕上げ処理にて化学的に凹凸を施すことにより表面積が拡大し、親水性を齎すことになり、表面処理を施す必要がなく、溶液に浸せきするだけなので、低コストで作業性は良好となり、野菜室の湿度を安定させることが可能であり、乾燥しやすい野菜室の湿度が高くなり、野菜等の食品の保鮮性が向上する冷蔵庫を提供することができる。
【００２４】
（実施の形態４）
図１において、冷却プレート７は防錆黒色導電薄皮膜を１〜２μｍ塗布することにより反射防止性の特性により凹凸を施した材料としている。
【００２５】
以上のように、本実施の形態において前記冷却プレートを防錆黒色導電薄皮膜処理にて化学的に凹凸を施すことにより表面積が拡大し、親水性を齎すことになり、野菜室の湿度を安定させることが可能であり、乾燥しやすい野菜室の湿度が高くなり、野菜等の食品の保鮮性が向上する冷蔵庫を提供することができる。
【００２６】
また、防錆黒色導電薄皮膜処理の特性により、特に熱吸収性に優れているため、少しの冷気で結露が容易になり、省エネルギーで野菜等の食品の保鮮性が向上する冷蔵庫を提供することができる。
【００２７】
（実施の形態５）
図１において、冷却プレート７は硬質クロムめっきし、その上に防錆黒色導電薄皮膜を１〜２μｍ塗布することにより反射防止性の特性により凹凸を施した材料としている。
【００２８】
以上のように、本実施の形態において前記冷却プレートを硬質クロムめっきし、その上に防錆黒色導電薄皮膜処理することにより、化学的に凹凸を施すことにより表面積が拡大し、親水性を齎すことになり、野菜室の湿度を安定させることが可能であり、乾燥しやすい野菜室の湿度が高くなり、野菜等の食品の保鮮性が向上する冷蔵庫を提供することができる。
【００２９】
また、硬質クロムめっきの上に防錆黒色導電薄皮膜処理することにより、耐食性、耐摩耗性の機械的特性を向上させることにより耐久性に優れた冷蔵庫を提供することができる。
【産業上の利用可能性】
【００３０】
以上のように、本発明にかかる冷蔵庫は、冷凍室容器内の収納物を効率よく収納することが可能となるので、引き出し式の収納装置等の用途にも適用できる。
【図面の簡単な説明】
【００３１】
【図１】本発明の実施の形態１における冷蔵庫の概略断面図
【図２】従来の冷蔵庫の概略断面図
【符号の説明】
【００３２】
１  冷蔵庫本体
４  野菜室
７  冷却プレート
【図１】
2006284117.tif 000003
【図２】
2006284117.tif 000004